(57)【要約】      （修正有）【課題】動力入力ユニットを用いて快速に充填ユニットに必要とする動力を貯存することができ、かつ充填ユニットには長効の充填動力を具える自動弾丸充填可能のトイガンの薬莢を提供する。【解決手段】薬莢ユニット１、充填ユニット２及び動力入力ユニット３を含み、薬莢ユニットには収納チャンバー１１及び充填通道１２を具え、充填ユニットは充填通道の入り口に結合される弾丸弾き輪２１、ラチェットホイール２２及び第一渦巻きばね２３を含み、ラチェットホイールによって第一渦巻きばね及び弾丸弾き輪を駆動し、動力入力ユニットの主要は引き紐巻き輪３１、引き紐及び第二渦巻きばねが含まれ、引き紐巻き輪は片方向にラチェットホイールを駆動し、引き紐３２は引き紐巻き輪を巻き付け、第二渦巻きばねは引き紐巻き輪に結合する。【選択図】図３
0003160382.tif 000002
【実用新案登録請求の範囲】
【請求項１】
自動弾丸充填可能のトイガンの薬莢で、それは薬莢ユニット、充填ユニット及び動力入力ユニットを含み、薬莢ユニットの内部は収納チャンバー及び充填通道を具え、充填通道は収納チャンバーに連通する入り口及び薬莢ユニットの頂上端に位置する出口を具える。充填ユニットは充填通道の入り口に結合し、それは弾丸弾き輪、ラチェットホイール及び第一渦巻きばねを具え、動力入力ユニットは引き紐巻き輪、引き紐及び第二渦巻きばねが含まれ、引き紐巻き輪は片方向にラチェットホイールを駆動し、引き紐は引き紐巻き輪を巻き付け、第二渦巻きばねは引き紐巻き輪に結合されることを特徴とする自動弾丸充填可能のトイガンの薬莢。
【請求項２】
前記引き紐巻き輪は同軸にラチェットホイールの一側面に結合し、引き紐巻き輪の側面には一枚または一枚以上の弧形の弾き片が設けられ、弾き片の自由端にはラチェット歯が設けられ、ラチェットホイールの側面には一回りのラチェット歯が設けられ、引き紐巻き輪のラチェット歯はラチェットホイールのラチェット歯に嵌め合わせ、並びに片方向にラチェットホイールを駆動することを特徴とする請求項１記載の自動弾丸充填可能のトイガンの薬莢。
【請求項３】
前記引き紐巻き輪の中央には凹孔が設けられ、第二渦巻きばねは凹孔の中に結合し、第二渦巻きばねの外端は凹孔の中に固定され、内端は固定軸に固定されることを特徴とする請求項１記載の自動弾丸充填可能のトイガンの薬莢。
【請求項４】
前記固定軸は円盤形の蓋の中央に設置され、蓋は引き紐巻き輪を覆い被せることを特徴とする請求項３記載の自動弾丸充填可能のトイガンの薬莢。
【請求項５】
前記引き紐巻き輪には線溝が設けられ、引き紐の内端は線溝の中に固定され、外端には引き紐が設けられてあることを特徴とする請求項１記載の自動弾丸充填可能のトイガンの薬莢。
【請求項６】
前記充填ユニットの第一渦巻きばねの外端は弾丸弾き輪に結合し、内端はラチェットホイールに結合されることを特徴とする請求項１記載の自動弾丸充填可能のトイガンの薬莢。
【請求項７】
前記薬莢ユニットはプラスチックケースを含み、プラスチックケースの内部には前記収納チャンバー及び充填通道が設けられ、充填ユニットの弾丸弾き輪及び第一渦巻きばねはプラスチックケースの内部に結合し、充填ユニットのラチェットホイール及び動力入力ユニットはプラスチックケースの外部に結合されることを特徴とする請求項１記載の自動弾丸充填可能のトイガンの薬莢。
【請求項８】
前記薬莢ユニットは金属外殻を含み、金属外殻はプラスチックケースの外部に取り付けられてあることを特徴とする請求項７記載の自動弾丸充填可能のトイガンの薬莢。
【考案の詳細な説明】
【技術分野】
【０００１】
本考案は自動弾丸充填可能のトイガン(toy gun)の薬莢に関するもので、特に弾丸充填の動力を快速に貯存することができ、長効に動力を貯存するトイガンの薬莢の構造設計を指したものである。
【背景技術】
【０００２】
周知のガスガン(gas gun)、エアガン(air gun)、BBガン、電動ガンまたはペンキ(pek)ガン等トイガンは通常、撃発部の下端に薬莢が結合または着脱可能に設けられ、薬莢の内部に収納空間が設けられ、収納空間の傍に薬莢の上端までに延伸する充填通道が設けられ、充填通道の下端に弾丸弾き輪及び押し輪が結合され、これによって薬莢の収納空間に大量の弾丸、例えばBB弾またはペンキ弾を積み込み、更に使用者によって薬莢の底部より押し輪を5、6回押し回すと押し輪は弾丸弾き輪を押し回し、弾丸を充填通道へ弾き込む。ところが、サバイバルゲーム(survival game)に於いて常に連続射撃をしなければならなく、薬莢の充填通道中の弾丸が使い果たされると、新たに押し輪を5、6回押し回さないと弾丸を新たに充填することができなく、このような充填方式はゲームに於いて極めて遅くかつ効率が悪いので、使用者は通常予め充填された薬莢を多数個携帯し、随時薬莢を交換して使用するが、これは相対してサバイバルゲームを参加した使用者に過多な装備を携帯し、行動不便等問題を起こさせ、そのために周知のトイガンの薬莢は使用者により効率のある快速充填ができるよう、改善する必要がある。
【考案の概要】
【考案が解決しようとする課題】
【０００３】
本考案の主要目的は自動弾丸充填可能のトイガンの薬莢を提供するもので、それは薬莢ユニット(unit)、充填ユニット及び動力入力ユニットの設計により、使用者は迅速に弾丸を新たに充填することができ、かつ弾丸充填の動力を貯存し、それによって充填通道中の弾丸が使い果たされると再び自動的に充填し、快速及び持続的充填する目的が達成される。
【０００４】
上述目的を達成するため、本考案の実施内容は薬莢ユニット、充填ユニット及び動力入力ユニットを含み、薬莢ユニットの内部には収納チャンバー(chamber)及び充填通道を具え、充填通道には収納チャンバーと連通する入り口、及び薬莢ユニットの頂上端に位置する出口を具える。充填ユニットは充填通道の入り口に結合され、それには弾丸弾き輪、ラチェットホイール(ratchet wheel)及び第一渦巻きばねを具え、それの特徴は動力入力ユニットは引き紐巻き輪、引き紐及び第二渦巻きばねが含まれ、引き紐巻き輪は片方向にラチェットホイールを駆動し、引き紐は引き紐巻き輪に巻き付け、第二渦巻きばねは引き紐巻き輪に結合される。
【０００５】
上述自動弾丸充填可能のトイガンの薬莢の設計により、それは使用者に動力入力ユニットの引き紐を繰り返し引き動かせるよう提供し、引き紐巻き輪は充填ユニットのラチェットホイールを快速に片方向に駆動し、ラチェットホイールは同調して第一渦巻きばね及び弾丸弾き輪を駆動して充填動作を行い、薬莢ユニットの充填通道に弾丸がいっぱい充填されると、ラチェットホイールは同調して第一渦巻きばねを収縮するよう駆動し、第一渦巻きばねは持続して弾丸弾き輪を駆動する動力を貯存し、随時動力を釈放して弾丸弾き輪を駆動することができ、これによって快速及び持続的充填する効果が達成される。
【課題を解決するための手段】
【０００６】
自動弾丸充填可能のトイガンの薬莢であり、それは薬莢ユニット、充填ユニット及び動力入力ユニットを含み、薬莢ユニットには収納チャンバー及び充填通道を具え、充填ユニットは充填通道の入り口に結合される弾丸弾き輪、ラチェットホイール及び第一渦巻きばねを含み、ラチェットホイールによって第一渦巻きばね及び弾丸弾き輪を駆動し、動力入力ユニットの主要は引き紐巻き輪、引き紐及び第二渦巻きばねが含まれ、引き紐巻き輪は片方向にラチェットホイールを駆動し、引き紐は引き紐巻き輪を巻き付け、第二渦巻きばねは引き紐巻き輪に結合する。これにより、本考案は動力入力ユニットを用いて快速に充填ユニットに必要とする動力を貯存することができ、かつ充填ユニットには長効の充填動力を具えることができる。
【図面の簡単な説明】
【０００７】
【図１】本考案の最適実施例の組合せ立体図である。
【図２】本考案の最適実施例の分解立体図一である。
【図３】本考案の最適実施例の分解立体図二である。
【図４】本考案の最適実施例の組合せ断面図である。
【図５】本考案の最適実施例の引き紐動作の意表図である。
【図６】本考案の最適実施例の弾丸充填動作の意表図である。
【考案を実施するための形態】
【０００８】
以下、添付図面を参照して本考案の実施の形態を詳細に説明する。
【実施例】
【０００９】
図面に示すように、本考案自動弾丸充填可能のトイガンの薬莢の最適実施例は薬莢ユニット1、充填ユニット2及び動力入力ユニット3を含む。
【００１０】
薬莢ユニット1、図２及び図３に示すように、それの主要は内部に収納チャンバー11及び充填通道12を具え、充填通道12には収納チャンバー11に連通する入り口121、及び薬莢ユニットの頂上端に位置する出口122を具える（図１に示すように）。最適具体的実施例に含まれる薬莢ユニット1はプラスチックケース(plastic case)13及び金属外殻14を具え、プラスチックケース13の内部には前述収納チャンバー11及び充填通道12が設けられ、金属外殻14はプラスチックケース13の外部に取り付けられる。
【００１１】
充填ユニット2、図２及び図３に示すように、それは薬莢ユニット1の充填通道12の入り口121に結合され、それは弾丸弾き輪21、ラチェットホイール22及び第一渦巻きばね23を含み、第一渦巻きばね23の外端231は弾丸弾き輪21に結合し、内端232はラチェットホイール22の軸221に結合し、それによってラチェットホイール22は第一渦巻きばね23及び弾丸弾き輪21を駆動して回転させる。最適具体的実施例は充填ユニット2の弾丸弾き輪21及び第一渦巻きばね23はプラスチックケース13の内部に結合し、充填ユニット2のラチェットホイール22及び次に述べる動力入力ユニット3はプラスチックケース13の外部に結合し、かつラチェットホイール22の軸221はプラスチックケース13を貫き込んで第一渦巻きばね23と結合し、こうしてプラスチックケース13の外部から第一渦巻きばね23及び弾丸弾き輪21を駆動して回転させる。
【００１２】
動力入力ユニット3、図２及び図３に示すように、それは引き紐巻き輪31、引き紐32及び第二渦巻きばね33が含まれ、引き紐巻き輪31は片方向にラチェットホイール22を駆動し、引き紐32は引き紐巻き輪31に巻き付け、第二渦巻きばね33は引き紐巻き輪に結合される。最適実施例に於いて、前述引き紐巻き輪31が片方向にラチェットホイール22を駆動する方式は引き紐巻き輪31を同軸にラチェットホイール22の一側面に結合し、引き紐巻き輪31の側面には一枚または一枚以上の弧形の弾き片311が設けられ、弾き片311の自由端にはラチェット歯312が設けられ、ラチェットホイール22の側面には一回りのラチェット歯222が設けられ、引き紐巻き輪31のラチェット歯312はラチェットホイール22のラチェット歯222に嵌め合わせ、これによってラチェットホイール22を片方向に駆動する。また、引き紐巻き輪31の中央には凹孔313が設けられ、第二渦巻きばね33は凹孔313の中に結合し、かつ第二渦巻きばね33の外端331は凹孔313の中に固定され、内端332は固定軸34に固定され、固定軸34は円盤形の蓋341の中央に設置され、蓋341によって引き紐巻き輪31を覆い被さる。また、引き紐巻き輪31の周囲には線溝314が設けられ、引き紐32の内端は線溝314の中に固定され、外端は引き紐321に結合される。
【００１３】
図５に示すように、本考案の自動弾丸充填可能のトイガンの薬莢の構造設計により、使用者は動力入力ユニット3の引き紐321を掴み、更に動力入力ユニット3の引き紐32を繰り返し引き動かすと、引き紐巻き輪31はラチェット歯312、222の嵌め合わせ作用によって快速に充填ユニット2のラチェットホイール22を片方向に駆動して回転させる。図６に示すように、ラチェットホイール22は同調して第一渦巻きばね23を駆動し、第一渦巻きばね23によって弾丸弾き輪21を動かして弾丸充填動作を行うが、薬莢ユニット1の充填通道12がすでに弾丸4に充満された場合、弾丸弾き輪21は回転を止め、ラチェットホイール22は同調して第一渦巻きばね23を持続に収縮するよう駆動し、それによって第一渦巻きばね23は持続的に弾丸弾き輪21を駆動する動力を貯存し、随時動力を釈放して弾丸弾き輪21を駆動して弾丸4を補充する。前述引き紐32が引き紐巻き輪31を引き動かすと、第二渦巻きばね33によって引き紐32を再度引き紐巻き輪31の線溝314に巻き付け、このように動力は繰り返し充填ユニット2に入力される。
【００１４】
前述のように、本考案は前記動力入力ユニット3の設計により、使用者が引き紐32を引くと、引き紐巻き輪31及びラチェットホイール22は数回回転し、かつ弾丸弾き輪21は迅速に弾丸充填の動作を行い、同時に第一渦巻きばね23は持続的に収縮して動力を貯存するので、本考案は快速及び持続的に弾丸充填の効果を達成する。
【符号の説明】
【００１５】
1        薬莢ユニット
11       収納チャンバー
12       充填通道
121      入り口
122      出口
13       プラスチックケース
14       金属外殻
2        充填ユニット
21       弾丸弾き輪
22       ラチェットホイール
221      軸
222      ラチェット歯
23       第一渦巻きばね
231      外端
232      内端
3        動力入力ユニット
31       引き紐巻き輪
311      弾片
312      ラチェット歯
313      凹孔
314      線溝
32       引き紐
321      引き紐
33       第二渦巻きばね
331      外端
332      内端
34       固定軸
341      蓋
4        弾丸
【図１】
0003160382.tif 000003
【図２】
0003160382.tif 000004
【図３】
0003160382.tif 000005
【図４】
0003160382.tif 000006
【図５】
0003160382.tif 000007
【図６】
0003160382.tif 000008
【手続補正書】
【提出日】平成22年4月9日(2010.4.9)
【手続補正１】
【補正対象書類名】実用新案登録請求の範囲
【補正対象項目名】請求項１
【補正方法】変更
【補正の内容】
【請求項１】
自動弾丸充填可能のトイガンの薬莢で、それは薬莢ユニット、充填ユニット及び動力入力ユニットを含み、薬莢ユニットの内部は収納チャンバー及び充填通道を具え、充填通道は収納チャンバーに連通する入り口及び薬莢ユニットの頂上端に位置する出口を具え充填ユニットは充填通道の入り口に結合し、それは弾丸弾き輪、ラチェットホイール及び第一渦巻きばねを具え、動力入力ユニットは引き紐巻き輪、引き紐及び第二渦巻きばねが含まれ、引き紐巻き輪は片方向にラチェットホイールを駆動し、引き紐は引き紐巻き輪を巻き付け、第二渦巻きばねは引き紐巻き輪に結合されることを特徴とする自動弾丸充填可能のトイガンの薬莢。